(57)【要約】【課題】ユーザが画像の一覧から原稿の方向を設定することを目的としている。【解決手段】自動原稿給送装置と、原稿載置台と、前記自動原稿給送装置と前記原稿載置台の少なくとも一方に設けられ、原稿を検知する原稿検知部と、表示部に画像を表示させる表示制御部と、を備え、前記表示制御部は、前記原稿検知部の検知の結果に応じて、前記自動原稿給送装置に配置される原稿の向きを選択させる第１画面、又は、前記原稿載置台に配置される原稿の向きを選択させる第２画面のいずれかを前記表示部に表示させることを特徴とする画像処理装置。【選択図】図７
2020102760.tif 000002
【特許請求の範囲】
【請求項１】
自動原稿給送装置と、
原稿載置台と、
前記自動原稿給送装置と前記原稿載置台の少なくとも一方に設けられ、原稿を検知する原稿検知部と、
表示部に画像を表示させる表示制御部と、を備え、
前記表示制御部は、前記原稿検知部の検知の結果に応じて、前記自動原稿給送装置に配置される原稿の向きを選択させる第１画面、又は、前記原稿載置台に配置される原稿の向きを選択させる第２画面のいずれかを前記表示部に表示させる
ことを特徴とする画像処理装置。
【請求項２】
前記第１画面は、前記自動原稿給送装置に異なる向きに配置された原稿の複数の第１画像を備え、
前記第２画面は、前記原稿載置台に異なる向きに配置された原稿の複数の第２画像を備え、
前記第１画像のいずれか一つ又は前記第２画像のいずれか一つを選択させる
ことを特徴とする請求項１に記載の画像処理装置。
【請求項３】
前記第１画像と、前記第２画像は、前記表示部の画面上に同じ並び方で表示され、
原稿が同じ向きに配置された前記第１画像と前記第２画像は、前記表示部の同じ箇所に表示される
ことを特徴とする請求項２に記載の画像処理装置。
【請求項４】
前記第１画面と前記第２画面とは、互いに切り替えることが可能であって、
画面を切り替え前の一方の画面において選択された原稿の向きが、画面を切り替え後の他方の画面において選択される
ことを特徴とする請求項２又は３のいずれかに記載の画像処理装置。
【請求項５】
前記自動原稿給送装置と、前記原稿載置台とでは、原稿の読み取られる面が、重力方向に対して逆であり、
前記第１画像と前記第２画像は、文字の画像を含み、
前記第２画像の前記文字は左右反転している
ことを特徴とする請求項２乃至４のいずれか１項に記載の画像処理装置。
【請求項６】
自動原稿給送装置と、
原稿載置台と、
前記自動原稿給送装置と前記原稿載置台の少なくとも一方に設けられ、原稿を検知する原稿検知部と、
表示部に画像を表示させる表示制御部と、を備える画像処理装置の画面表示方法であって、
前記原稿検知部が、前記自動原稿給送装置と前記原稿載置台の少なくとも一方において、原稿を検知する原稿検知ステップと、
前記表示制御部が、前記原稿検知ステップでの検知の結果に応じて、前記自動原稿給送装置に配置される原稿の向きを選択させる第１画面、又は、前記原稿載置台に配置される原稿の向きを選択させる第２画面のいずれかを表示部に表示させる画面表示ステップと、を備える
ことを特徴とする画像処理装置の画面表示方法。
【発明の詳細な説明】
【技術分野】
【０００１】
本発明は、画像処理装置及び画像処理装置の画面表示方法に関する。
【背景技術】
【０００２】
従来の画像処理装置等では、ＡＤＦ（Ａｕｔｏ  Ｄｏｃｕｍｅｎｎｔ  Ｆｅｅｄｅｒ）やコンタクトガラス等において、原稿の方向を設定し、設定された方向に原稿をセットすることで、ユーザの意図した印刷面で処理が実行される。
【０００３】
従来の画像処理装置において、原稿の方向の設定が求められる処理とは、例えば両面印刷処理や集約印刷処理、ステープル処理等である。
【発明の概要】
【発明が解決しようとする課題】
【０００４】
原稿の方向の設定を容易に行うために、原稿の向きを画像の一覧から選択することが考えられる。
【０００５】
従来の画像処理装置では、ＡＤＦに原稿をセットした画像とコンタクトガラスに原稿をセットした画像を表示していた（特許文献１）。しかしながら、両方の画像について、原稿の方向を画像の一覧により設定しようとすると、ＡＤＦとコンタクトガラスのそれぞれの場合について画像が必要なため、表示画面に多くの画像を表示しなければならなかった。また、多くの画像があるため、画像の選択が困難であった。
【０００６】
開示の技術は、ユーザが原稿の方向の設定を容易に行うことを目的としている。
【課題を解決するための手段】
【０００７】
開示の技術は、自動原稿給送装置と、原稿載置台と、前記自動原稿給送装置と前記原稿載置台の少なくとも一方に設けられ、原稿を検知する原稿検知部と、表示部に画像を表示させる表示制御部と、を備え、前記表示制御部は、前記原稿検知部の検知の結果に応じて、前記自動原稿給送装置に配置される原稿の向きを選択させる第１画面、又は、前記原稿載置台に配置される原稿の向きを選択させる第２画面のいずれかを前記表示部に表示させる画像処理装置である。
【発明の効果】
【０００８】
開示の技術によれば、ユーザが原稿の方向の設定を容易に行うことができる。
【図面の簡単な説明】
【０００９】
【図１】画像処理装置のハードウェア構成の一例を示す図である。
【図２】画像処理装置の操作装置及び本体装置に含まれるプログラム群の階層構造の一例を示す図である。
【図３】操作装置の機能を説明する図である。
【図４】対象処理記憶部に格納された一覧を説明する図である。
【図５】操作装置の動作を説明するフローチャートである。
【図６】操作装置の操作パネルにおける画面遷移の例を示す図である。
【図７】設定画面の一例を示す図である。
【図８】本実施形態の効果を説明する図である。
【図９】操作装置の動作を説明するフローチャートである。
【発明を実施するための形態】
【００１０】
＜第１の実施形態＞
以下に図面を参照して、本実施形態について説明する。本実施形態では、配置される原稿の向きの設定が要求される処理の実行指示がなされた際に、原稿の向きを設定する設定画面を表示させる。
【００１１】
図１は、画像処理装置のハードウェア構成の一例を示す図である。
【００１２】
本実施形態の画像処理装置１００は、複合機等のＭＦＰ（Ｍｕｌｔｉｆｕｎｃｔｉｏｎ  Ｐｒｉｎｔｅｒ）であり、例えば、コピー機能、スキャン機能、ＦＡＸ機能、プリント機能等の画像処理機能を有している。なお、本実施形態の画像処理装置１００は、ＭＦＰに限らず、複写機やＦＡＸ等でもよい。
【００１３】
図１に示すように、画像処理装置１００は、操作装置２００及び本体装置３００を有している。
【００１４】
操作装置２００は、本体装置３００に実行させる画像処理機能の選択、画像処理機能を実行させるための各種設定値の入力、画像処理機能の実行を開始させるための実行指示の入力、表示画面の切り替え等、ユーザが各種操作を行う際に用いられる。
【００１５】
本体装置３００は、操作装置２００におけるユーザの各種操作に応じて、画像処理機能の実行等の各種の処理を実行する。また、本体装置３００は、操作装置２００に対して、各種のメッセージを表示させるための要求を行う。
【００１６】
本実施形態の操作装置２００は、ＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、及びＲＡＭ（Ｒａｎｄｏｍ  Ａｃｃｅｓｓ  Ｍｅｍｏｒｙ）２０３を有している。また、操作装置２００は、フラッシュメモリ２０４、操作パネル２０５、接続Ｉ／Ｆ（Ｉｎｔｅｒｆａｃｅ）２０６、及び通信Ｉ／Ｆ２０７を有している。これら各ハードウェアは、バス２０８を介して相互に接続されている。
【００１７】
ＣＰＵ２０１は、ＲＡＭ２０３をワークエリアとしてＲＯＭ２０２又はフラッシュメモリ２０４に記憶された各種プログラムを実行することにより、操作装置２００全体を制御する演算装置である。
【００１８】
ＲＯＭ２０２は、電源を切ってもデータを保持することができる不揮発性の半導体メモリ（記憶装置）である。ＲＡＭ２０３は、プログラムやデータを一時保存する揮発性の半導体メモリ（記憶装置）である。
【００１９】
フラッシュメモリ２０４は、不揮発性の記憶媒体であり、ＣＰＵ２０１が実行する各種プログラム（例えば、本実施形態を実現するプログラム）や各種データを記憶する。
【００２０】
操作パネル２０５は、タッチパネル等であり、ユーザが各種操作を行う際に用いられる。また、操作パネル２０５は、各種のメッセージを表示する。すなわち、操作パネル２０５は、例えば、画像処理装置１００の各種機能に対してユーザが各種操作を行うためのＧＵＩ（Ｇｒａｐｈｉｃａｌ  Ｕｓｅｒ  Ｉｎｔｅｒｆａｃｅ）表示画面や、画像処理装置１００の処理結果等の情報（エラーメッセージやガイダンスメッセージ等）を表示する。
【００２１】
なお、本実施形態の操作パネル２０５は、表示部の一例である。
【００２２】
接続Ｉ／Ｆ２０６は、通信路２０９を介して本体装置３００と通信するためのインタフェースである。接続Ｉ／Ｆ２０６には、例えば、ＵＳＢ（Ｕｎｉｖｅｒｓａｌ  Ｓｅｒｉａｌ  Ｂｕｓ）規格のインタフェースが用いられる。
【００２３】
通信Ｉ／Ｆ２０７は、他の機器等と通信するためのインタフェースである。通信Ｉ／Ｆ２０７は、例えば、Ｗｉ−Ｆｉ規格の無線ＬＡＮが用いられる。
【００２４】
本実施形態の本体装置３００は、ＣＰＵ３０１、ＲＯＭ３０２、及びＲＡＭ３０３を有している。また、本体装置３００は、ＨＤＤ（Ｈａｒｄ  Ｄｉｓｋ  Ｄｒｉｖｅ）３０４、画像処理エンジン３０５、接続Ｉ／Ｆ３０６、通信Ｉ／Ｆ３０７、及び紙センサ３０９を有している。これら各ハードウェアは、バス３０８を介して相互に接続されている。
【００２５】
ＣＰＵ３０１は、ＲＡＭ３０３をワークエリアとしてＲＯＭ３０２又はＨＤＤ３０４に記憶された各種プログラムを実行することにより、本体装置３００全体を制御する演算装置である。
【００２６】
ＲＯＭ３０２は、電源を切ってもデータを保持することができる不揮発性の半導体メモリ（記憶装置）である。ＲＡＭ３０３は、プログラムやデータを一時保存する揮発性の半導体メモリ（記憶装置）である。
【００２７】
ＨＤＤ３０４は、不揮発性の記憶媒体であり、ＣＰＵ３０１が実行する各種プログラム（例えば、本実施形態を実現するプログラム）や各種データを記憶する。
【００２８】
画像処理エンジン３０５は、コピー機能、スキャン機能、ＦＡＸ機能、及びプリント機能等の各種の画像処理機能を実現するための画像処理を行うハードウェアである。
【００２９】
画像処理エンジン３０５には、例えば、原稿を光学的に読み取って画像データを生成するスキャナ、用紙等のシート材への印刷を行うプロッタ、及びＦＡＸ通信を行うＦＡＸ通信装置等が含まれる。また、画像処理エンジン３０５には、例えば、印刷済みのシート材を仕分けるフィニッシャ等が含まれていてもよい。
【００３０】
本実施形態の画像処理装置１００の画像処理エンジン３０５は、原稿を自動給送するＡＤＦ（自動原稿給送装置）３５０を備える。ＡＤＦ３５０に置かれた原稿はスキャナで読み取られて画像データが生成される。また、画像処理エンジン３０５は、原稿載置台３５１を備える。原稿載置台３５１には、コンタクトガラスが設けられている。原稿載置台３５１に置かれた原稿はスキャナで読み取られて画像データが生成される。
【００３１】
ＡＤＦ３５０に原稿が配置される場合と、原稿載置台３５１に原稿が配置される場合とでは、原稿のスキャナで読み取られる面が重力方向に対して逆になっている。すなわち、ＡＤＦ３５０に原稿が配置される場合は、原稿の読み取られる面（文字が印刷されている面）が天井を向くように原稿が配置される。原稿載置台３５１に原稿が配置される場合は、原稿の読み取られる面（文字が印刷されている面）が地面を向くように原稿が配置される。
【００３２】
接続Ｉ／Ｆ３０６は、通信路２０９を介して操作装置２００と通信するためのインタフェースである。接続Ｉ／Ｆ３０６には、例えば、ＵＳＢ規格のインタフェースが用いられる。
【００３３】
通信Ｉ／Ｆ３０７は、他の機器等と通信するためのインタフェースである。通信Ｉ／Ｆ３０７は、例えば、Ｗｉ−Ｆｉ規格の無線ＬＡＮが用いられる。
【００３４】
紙センサ３０９は、原稿を検知するセンサである。紙センサ３０９は、ＡＤＦ３５０に設けられる。紙センサ３０９は、ＡＤＦ３５０に紙が置かれた場合に、原稿を検知する。紙センサ３０９は、発光部と受光部を備え、原稿が置かれた場合に光が遮られるように、発光部と受光部をＡＤＦ３５０に配置する。
【００３５】
紙センサ３０９は、受光部が発光部の光を検知しない場合は、原稿を検知したことを表す検知信号を画像処理エンジン３０５に出力する。それに対して、受光部が発光部の光を検知した場合は、当該検知信号を画像処理エンジン３０５に出力しない。
【００３６】
なお、本実施形態の紙センサ３０９は、原稿検知部の一例である。
【００３７】
本実施形態の画像処理装置１００は、上記ハードウェア構成を有することにより、後述する各種処理を実現することができる。
【００３８】
なお、図１では、画像処理装置１００が操作装置２００を有している構成を一例として示したが、これに限定されない。操作装置２００は、例えば、タブレット端末、スマートフォン、携帯電話、ＰＤＡ等の情報処理端末であってもよい。すなわち、これらの情報処理端末は、操作装置２００の通信Ｉ／Ｆ２０７又は本体装置３００の通信Ｉ／Ｆ３０７を介して画像処理装置１００と通信することにより、当該画像処理装置１００を制御することができてもよい。
【００３９】
次に、図２を参照して、画像処理装置１００の操作装置２００及び本体装置３００に含まれるプログラム群の階層構造について説明する。図２は、画像処理装置の操作装置及び本体装置に含まれるプログラム群の階層構造の一例を示す図である。
【００４０】
図２は、操作装置２００に含まれるプログラム群の階層構造、及び本体装置３００に含まれるプログラム群の階層構造を示している。
【００４１】
操作装置２００に含まれるプログラム群は、ＲＯＭ２０２、フラッシュメモリ２０４等に格納されている。本体装置３００に含まれるプログラム群は、ＲＯＭ３０２、ＨＤＤ３０４等に格納されている。
【００４２】
はじめに、本体装置３００に含まれるプログラム群の階層構造について説明する。本体装置３００に含まれるプログラム群は、アプリケーション層３１０、サービス層３２０、及びＯＳ（Ｏｐｅｒａｔｉｎｇ  Ｓｙｓｔｅｍ）層３３０に大別することができる。
【００４３】
アプリケーション層３１０に区分されるプログラムは、ハードウェア資源を動作させて画像処理機能を実現させるためのプログラムである。具体的には、コピーアプリケーション、スキャンアプリケーション、ＦＡＸアプリケーション、及びプリントアプリケーション等が挙げられる。
【００４４】
サービス層３２０に区分されるプログラムは、アプリケーション層３１０とＯＳ層３３０との間に介在するプログラムである。当該プログラムは、本体装置３００が備えるハードウェア資源を、アプリケーション層３１０のプログラムが利用したり、本体装置３００が備えるハードウェア資源の状態を通知したりするインタフェースとしての役割を果たす。
【００４５】
具体的には、ハードウェア資源に対する動作要求を受け付けたり、受け付けた動作要求の調停を行ったりする。また、ハードウェア資源において検出されたエラーを、エラー情報として送信したりする。なお、サービス層３２０が受け付ける動作要求には、例えば、画像処理エンジン３０５による画像処理の動作要求（スキャナによる読み取り動作要求やプロッタによる印刷動作要求等）が含まれる。
【００４６】
なお、サービス層３２０に区分されるプログラムが果たすインタフェースとしての役割は、操作装置２００のアプリケーション層２１０に対しても同様である。すなわち、操作装置２００のアプリケーション層２１０に区分されるプログラムも、サービス層３２０にアクセスすることにより、本体装置３００のハードウェア資源を動作させて、画像処理機能を実現させることができる。
【００４７】
ＯＳ層３３０に区分されるプログラムは、基本ソフトウェアと呼ばれるプログラムであり、本体装置３００が有するハードウェア資源を制御する基本機能を提供する。ＯＳ層３３０に区分されるプログラムは、アプリケーション層３１０に区分されるプログラムからのハードウェア資源に対する動作要求を、サービス層３２０に区分されるプログラムを介して受け付けて、当該動作要求に応じた処理を実行する。また、ＯＳ層３３０に区分されるプログラムが実行されることにより、ハードウェア資源において検出されたエラーを受信し、エラー情報としてサービス層３２０に渡す。
【００４８】
次に、操作装置２００に含まれるプログラム群の階層構造について説明する。本体装置３００と同様に、操作装置２００に含まれるプログラム群も、アプリケーション層２１０、サービス層２２０、及びＯＳ層２３０に大別することができる。
【００４９】
ただし、アプリケーション層２１０に区分されるプログラムが提供する機能や、サービス層２２０が受け付け可能な動作要求の種類は、本体装置３００とは異なる。操作装置２００のアプリケーション層２１０に区分されるプログラムは、主として、各種操作や表示を行うためのユーザインタフェース機能を提供する。
【００５０】
なお、本実施形態では、操作装置２００と本体装置３００とで、ＯＳは独立して動作するものとする。また、操作装置２００と本体装置３００とが相互に通信可能であれば、ＯＳが同じ種類である必要はない。例えば、操作装置２００ではＯＳにＡｎｄｒｏｉｄ（登録商標）を用いる一方で、本体装置３００ではＯＳにＬｉｎｕｘ（登録商標）を用いることも可能である。
【００５１】
このように、画像処理装置１００では、操作装置２００と本体装置３００とが異なるＯＳにより制御されるため、操作装置２００と本体装置３００との間の通信は、一装置内のプロセス間通信ではなく、異なる情報処理装置間の通信として行われる。例えば、操作装置２００が受け付けたユーザの各種操作を示す操作情報を本体装置３００へ送信する動作や、本体装置３００が操作装置２００へ表示画面の表示を指示する表示要求を送信する動作が、これに該当する。
【００５２】
ただし、本実施形態の画像処理装置１００は、操作装置２００と本体装置３００とで異なる種類のＯＳが動作している場合に限られず、操作装置２００と本体装置３００とで同一種類のＯＳが動作していてもよい。また、本実施形態の画像処理装置１００は、操作装置２００と本体装置３００とでＯＳが独立して動作している場合に限られず、操作装置２００及び本体装置３００上で一のＯＳが動作していてもよい。
【００５３】
なお、図１及び図２では、画像処理装置１００は、操作装置２００と本体装置３００とを有する構成としたが、これに限定されない。本実施形態の画像処理装置１００は、例えば本体装置３００に操作装置２００が含まれていてもよい。この場合、本体装置３００には操作パネル２０５が設けられることになる。
【００５４】
次に、図３を参照して本実施形態の操作装置２００の機能について説明する。図３は、操作装置の機能を説明する図である。なお、操作装置２００の各機能は、ＣＰＵ２０１がアプリケーション層２１０に区分されるプログラムを実行することで実現される。
【００５５】
本実施形態の操作装置２００は、表示制御処理部２４０、本体連携部２５０、対象処理記憶部２６０を有する。
【００５６】
本実施形態の表示制御処理部２４０は、操作装置２００が受けた操作に基づき、セットした原稿の向きを設定する設定画面を操作パネル２０５に表示させる。表示制御処理部２４０の詳細は後述する。
【００５７】
本実施形態の本体連携部２５０は、本体装置３００に対して画像処理機能の実行要求を送信したり、操作パネル２０５上にエラーメッセージやガイダンスメッセージ等の各種メッセージを表示させるためのメッセージ表示要求を本体装置３００から受信したりする。
【００５８】
対象処理記憶部２６０は、画像処理装置１００で実行される処理の種類と、設定画面を表示する対象の処理であるか否かを示す情報と、が対応付けられた一覧を格納する。本実施形態では、設定画面の表示対象となる処理は、予め決められているものとした。
【００５９】
本実施形態における設定画面の表示対象の処理とは、実行する際に原稿の向きの設定が要求される処理である。言い換えれば、設定画面の表示対象の処理とは、操作装置２００において設定された原稿の向きを示す情報を用いて実行される処理である。
【００６０】
以下に、図４を参照して、対象処理記憶部２６０に格納された一覧について説明する。図４は、対象処理記憶部に格納された一覧を説明する図である。
【００６１】
本実施形態の対象処理記憶部２６０に格納された一覧２６１は、処理の種類と、設定画面を表示する対象の処理であるか否かを示す情報（以下、表示対象情報）とが対応付けられている。つまり、一覧２６１では、複数の処理のそれぞれに対し、原稿の向きを示す情報を用いる種類であるか否かを示す情報を対応付けている。
【００６２】
処理の種類は、例えば画像処理装置１００において実行される全ての処理の種類が含まれてもよいし、コピー処理の種類のみが含まれていてもよい。
【００６３】
図４では、処理の種類「フルカラーコピー処理」と対応する表示対象情報は「×」である。したがって、処理の種類「フルカラーコピー処理」は、設定画面の表示する対象となる処理ではないことがわかる。
【００６４】
同様に、処理の種類「両面印刷処理」と対応する表示対象情報は「○」である。したがって、処理の種類「両面印刷処理」は、設定画面の表示する対象となる処理であることがわかる。
【００６５】
なお、図４の例では、表示対象情報において表示対象であることを示す例として「○」、表示対象でないことを示す例として「×」としたが、これに限定されない。表示対象情報では、表示対象であることを、例えば「Ｙｅｓ」等とし、表示対象でないことを例えば「Ｎｏ」等としてもよい。表示対象情報は、対応する処理の種類が、設定画面を表示する対象の処理であるか否かが判別できればよい。
【００６６】
なお、設定画面を表示する対象の処理は、図４に示す「両面印刷処理」、「集約印刷処理」、「分割印刷処理」、「ステープル処理」、「パンチ処理」以外にも、製本処理、見開き両面印刷処理、拡大連射印刷処理等がある。
【００６７】
以下に、表示制御処理部２４０についてさらに説明する。本実施形態の表示制御処理部２４０は、入力受付部２４１、対象処理判定部２４２、表示制御部２４３を有する。
【００６８】
本実施形態の入力受付部２４１は、操作パネル２０５に対する入力を受け付ける。対象処理判定部２４２は、対象処理記憶部２６０を参照し、入力受付部２４１が受け付けた操作と対応する処理が、設定画面を表示する対象の処理か否かを判定する。
【００６９】
表示制御部２４３は、対象処理判定部２４２による判定結果に応じて、操作に対応する指示を実行する前に設定画面を表示させる。
【００７０】
以下に、図５を参照して本実施形態の操作装置２００の動作について説明する。図５は、操作装置の動作を説明するフローチャートである。
【００７１】
本実施形態の操作装置２００は、表示制御処理部２４０の入力受付部２４１により、操作パネル２０５において実行する処理を選択する操作を受け付けたか否かを判定する（ステップＳ５０１）。なお、本実施形態の操作パネル２０５の表示の詳細は後述する。ステップＳ５０１において、操作を受け付けない場合、入力受付部２４１は操作を受け付けるまで待機する。
【００７２】
ステップＳ５０１において、操作を受け付けた場合、表示制御処理部２４０は、入力受付部２４１により、選択された処理の実行指示の操作を受け付けたか否かを判定する（ステップＳ５０２）。
【００７３】
ステップＳ５０２において、実行指示を受け付けていない場合、入力受付部２４１は、操作を受け付けるまで待機する。なお、本実施形態では、所定の時間以内に実行指示を受け付けなかった場合には、表示制御処理部２４０は、操作パネル２０５の表示を、ステップＳ５０１で表示された、処理を選択するための画面から、ホーム画面へ切り替えてもよい。
【００７４】
ステップＳ５０２において、実行指示を受け付けた場合、表示制御処理部２４０は、対象処理判定部２４２により、対象処理記憶部２６０を参照し、実行指示を受け付けた処理が設定画面を表示させる対象の処理であるか否かを判定する（ステップＳ５０３）。
【００７５】
ステップＳ５０３において、実行指示を受け付けた処理が設定画面を表示させる対象の処理でない場合、操作装置２００は、後述するステップＳ５０７へ進む。
【００７６】
ステップＳ５０３において、実行指示を受け付けた処理が設定画面を表示させる対象の処理であった場合、表示制御処理部２４０は、表示制御部２４３により、原稿をセットする向きの設定を行う設定画面表示処理を行う（ステップＳ５０４）。なお、設定画面表示処理については後述する。
【００７７】
ステップＳ５０４の設定画面表示処理について詳細を説明する。ステップＳ５０４では、図９のフローチャートに基づいて処理を行う。図９のフローチャートの処理は、ＡＤＦ３５０に紙センサ３０９が備えられており、原稿載置台３５１には紙センサ３０９が備えてられていない場合の処理である。
【００７８】
表示制御部２４３は、ＡＤＦ３５０に備えられた紙センサ３０９が紙を検出しているか否かを判定する（ステップＳ９０１）。ステップＳ９０１において紙センサ３０９が紙を検知している場合は、表示制御部２４３は、ＡＤＦ３５０に配置される原稿の向きを選択させる設定画面（後述する設定画面７０）を表示する（ステップＳ９０２）。ステップＳ９０１において紙センサ３０９が紙を検知していない場合は、表示制御部２４３は原稿載置台３５１に配置される原稿の向きを選択させる設定画面（後述する設定画面７２）を表示する（ステップＳ９０３）。
【００７９】
本実施形態の画像処理装置１００のステップＳ９０１は、原稿検知ステップ、ステップＳ９０２、Ｓ９０３は、画面表示ステップの一例である。
【００８０】
なお、図９においては、ＡＤＦ３５０に紙センサ３０９が備えられ、原稿載置台３５１には紙センサ３０９が備えてられていないが、原稿載置台３５１に紙センサ３０９が備えられ、ＡＤＦ３５０が紙センサ３０９を備えてられていないようにしてもよい。その場合は、紙センサ３０９が紙を検知した場合、表示制御部２４３は、原稿載置台３５１に配置される原稿の向きを選択させる設定画面（後述する設定画面７２）を表示する。また、紙センサ３０９が紙を検知していない場合、表示制御部２４３は、ＡＤＦ３５０に配置される原稿の向きを選択させる設定画面（後述する設定画面７０）を表示する。
【００８１】
さらに、ＡＤＦ３５０と原稿載置台３５１の両方に紙センサ３０９が備えられているようにしてもよい。その場合は、表示制御部２４３は、紙を検知した方の設定画面を表示するようにしてもよい。両方の紙センサ３０９が紙を検知した場合、表示制御部２４３は、両方に紙があることを使用者に報知する画面を表示するようにしてもよい。
【００８２】
また、両方の紙センサ３０９が紙を検知した場合、表示制御部２４３は、原稿載置台３５１に配置される原稿の向きを選択させる設定画面（後述する設定画面７２）を表示してもよい。さらに、両方の紙センサが紙を検知した場合、表示制御部２４３は、ＡＤＦ３５０に配置される原稿の向きを選択させる設定画面（後述する設定画面７０）を表示してもよい。
【００８３】
続いて表示制御処理部２４０は、入力受付部２４１により、所定時間内に、設定画面において処理の実行指示がなされたか否かを判定する（ステップＳ５０５）。
【００８４】
ステップＳ５０５において、所定時間内に実行指示がなされない場合、表示制御処理部２４０は、入力受付部２４１により、所定時間内に、設定画面において前の画面に戻る操作が成されたか否かを判定する（ステップＳ５０６）。
【００８５】
ステップＳ５０６において所定時間内に戻る操作がなされない場合、表示制御処理部２４０は、処理を終了する。なお、この場合、ステップＳ５０１で選択された処理は実行されない。また、表示制御処理部２４０は、操作パネル２０５の表示を、設定画面から、ステップＳ５０１で表示された処理を選択するための画面やホーム画面に切り替えてもよい。
【００８６】
ステップＳ５０６において、所定時間内に戻る操作がなされた場合、表示制御処理部２４０は、ステップＳ５０１へ戻る。
【００８７】
ステップＳ５０５において、処理の実行指示がなされた場合、表示制御処理部２４０は、本体連携部２５０に対し、実行指示の本体装置３００への送信を要求し、本体連携部２５０は、この要求を受けて、本体装置３００へ処理の実行要求を送信し、処理を終了する（ステップＳ５０７）。
【００８８】
以下に、図６及び図７を参照し、本実施形態の操作装置２００における画面の遷移について説明する。
【００８９】
図６は、操作装置の操作パネルにおける画面遷移の例を示す図である。図６（Ａ）は、操作パネル２０５に表示されたコピー処理のトップ画面の例を示しており、図６（Ｂ）は、両面印刷処理の設定画面の例を示している。図６（Ｃ）は、両面印刷処理の設定後のトップ画面の例を示しており、図６（Ｄ）は設定画面の一例を示している。
【００９０】
図６（Ａ）のトップ画面６１は、例えば図５のステップＳ５０１において操作パネル２０５に表示される画面の例である。図６（Ａ）のトップ画面６１では、トップ画面６１を表示させる画像６２を矢印Ｙ方向にスクロールさせることで、両面印刷処理を選択する表示部品６３が操作パネル２０５に表示される。
【００９１】
トップ画面６１おいて、表示部品６３に対する操作が受け付けられると、操作パネル２０５の表示は、トップ画面６１から図６（Ｂ）に示す両面印刷処理の設定画面６４へ遷移する。なお、本実施形態における操作の受け付けとは、例えば表示部品６３がタッチされることである。
【００９２】
設定画面６４では、両面印刷処理に関する設定が行われ、設定が完了したことを示すＯＫボタン６５Ａが操作されると、操作パネル２０５の表示は、設定画面６４から、図６（Ｃ）に示すトップ画面６１Ａに遷移する。
【００９３】
なお、ここでトップ画面６１に戻るための戻るボタン６５Ｂが操作された場合には、操作パネル２０５の表示は、設定画面６４から図６（Ａ）に示すトップ画面６１へ遷移する。
【００９４】
図６（Ｃ）に示すトップ画面６１Ａでは、両面印刷処理の設定が成されたことを示すメッセージ６６が表示される。なお、トップ画面６１Ａに表示されるメッセージの情報は、例えば操作装置２００のＲＯＭ２０２、ＲＡＭ２０３、フラッシュメモリ２０４等の記憶装置において、各種の処理と対応付けて格納されていてもよい。
【００９５】
トップ画面６１Ａにおいて、スタートボタン６７が操作されると、表示制御処理部２４０は、両面印刷処理の実行指示がなされたものと判断する。ここで、ＡＤＦ３５０に設けられた紙センサ３０９によって紙が検出されていたとする。表示制御処理部２４０は、図６（Ｄ）に示す原稿の向きの設定画面７０を操作パネル２０５に表示させる。
【００９６】
図６（Ｄ）に示す設定画面７０は、図５のステップＳ５０４で表示される画面の例である。図６（Ｄ）は、ＡＤＦ３５０に原稿が置かれている場合の設定画面７０である。本実施形態では、設定画面７０がトップ画面６１Ａに重畳されて表示（例えば、ポップアップ表示）されてもよいし、操作パネル２０５の表示がトップ画面６１Ａから設定画面７０に遷移してもよい。
【００９７】
設定画面７０において、スタートボタン７１が操作されると、表示制御処理部２４０は、原稿の向きの確認が終了し、両面印刷処理の実行指示がなされたものと判断する。
【００９８】
ここで、図７（Ａ）、図７（Ｂ）を参照して本実施形態の設定画面７０、７２についてさらに説明する。図７（Ａ）、図７（Ｂ）は、設定画面の一例を示す図である。図７（Ａ）は、ＡＤＦ３５０に設けられた紙センサ３０９が紙を検知した場合に操作パネル２０５に表示される設定画面７０を示す図である。設定画面７０は、原稿がＡＤＦ３５０に置かれている場合を想定した画面である。図７（Ｂ）は、ＡＤＦ３５０に設けられた紙センサ３０９が紙を検知していない場合に操作パネル２０５に表示される設定画面７２を示す図である。設定画面７２は、原稿が原稿載置台３５１に置かれている場合を想定した画面である。
【００９９】
本実施形態の設定画面７０が自動原稿給送装置に配置される原稿の向きを選択させる第１画面、設定画面７２が原稿載置台に配置される原稿の向きを選択させる第２画面、の一例である。
【０１００】
図７（Ａ）の原稿がＡＤＦ３５０に置かれている場合を想定した設定画面７０は、画面の原稿に記載された文字が反転していない。文字が反転していない理由は、ＡＤＦ３５０に原稿が配置される場合には、原稿の天井に向けられている面が読み取られるからである。
【０１０１】
図７（Ｂ）の原稿が原稿載置台３５１に置かれている場面を想定した設定画面７２は、画面の原稿に記載された文字が左右反転している。文字が左右反転している理由は、原稿載置台３５１に原稿が配置される場合には、地面方向に向いている面が読み取られるからである。なお、文字が左右反転しているとは、文字を読む方向から見て左右反転していることを表す。
【０１０２】
設定画面７０、７２について、更に詳細に説明する。
【０１０３】
設定画面７０は、ＡＤＦ３５０に原稿を置いた画像７３、７４、７５、７６を備える。図７（Ａ）の画像７３、７４、７５、７６は、ＡＤＦ３５０にそれぞれ異なる向きに配置された原稿の画像である。このように、設定画面７０は、ＡＤＦ３５０に異なる向きに配置された原稿の複数の画像を備える。なお、画像７３、７４、７５、７６が第１画像の一例である。
【０１０４】
画像７３は、原稿が配置される向きが「文字が読める方向」であることを示している。なお、「文字が読める方向」とは、図７（Ａ）のように、原稿の向きが使用者から見て原稿を読む通常の方向のことである。画像７４は、原稿が配置される向きが「文字が読める方向」から「左に９０度回転」した方向であることを示している。画像７５は、原稿が配置される向きが「文字が読める方向」から「１８０度回転」した方向であることを示している。画像７６は、原稿が配置される向きが「文字が読める方向」から「右に９０度回転」した方向であることを示している。
【０１０５】
なお、ＡＤＦ３５０に原稿をセットする場合は、原稿は、文字が印刷されている面が天井を向くようにセットされるため、原稿をセットした状態で、画像処理装置１００の前にいるユーザは原稿に印刷されている文字を読むことができる。
【０１０６】
設定画面７２は、原稿載置台３５１に原稿を置いた画像７７、７８、７９、８０を備える。図７（Ｂ）の画像７７、７８、７９、８０は、原稿載置台３５１にそれぞれ異なる向きに配置された原稿の画像である。このように、設定画面７２は、原稿載置台３５１に異なる向きに配置された原稿の複数の画像を備える。なお、画像７７、７８、７９、８０が第２画像の一例である。
【０１０７】
画像７７は、原稿が配置される向きが「文字が読める方向」であることを示している。画像７８は、原稿が配置される向きが「文字が読める方向」から「左に９０度回転」した方向であることを示している。画像７９は、原稿が配置される向きが「文字が読める方向」から「１８０度回転」した方向であることを示している。画像８０は、原稿が配置される向きが「文字が読める方向」から「右に９０度回転」した方向であることを示している。
【０１０８】
なお、原稿載置台３５１に原稿をセットする場合、原稿は、文字が印刷されている面が下を向くようにセットされるため、原稿をセットした状態では、画像処理装置１００の前にいるユーザは、原稿に印刷されている文字を読むことができない。
【０１０９】
図７（Ａ）、図７（Ｂ）のように、設定画面７０、７２において、画像７３〜７６と、画像７７〜８０は、操作パネル２０５の画面上に同じ並び方で表示される。また、設定画面７０、７２で原稿が同じ向きに配置された画像、例えば、画像７３と画像７７は、操作パネル２０５上の同じ箇所に表示される。
【０１１０】
図７（Ａ）の例では、画像７３はハイライト表示されており、選択された処理と対応する原稿の向きが、画像７３が示す向き（画像７３が示す状態）であることを示している。つまり、図７（Ａ）の設定画面７０によれば、選択された処理では、原稿の読み取られる面を上にして原稿の文字が読める方向に原稿が配置されていれば、処理を選択したユーザの意図した出力を得ることができる。
【０１１１】
図７（Ｂ）の例では、画像７７はハイライト表示されており、選択された処理と対応する原稿の向きが、画像７７が示す向き（画像７７が示す状態）であることを示している。つまり、図７（Ｂ）の設定画面７２によれば、選択された処理では、原稿の読み取られる面を下にして原稿の文字が読める方向に原稿が配置されていれば、処理を選択したユーザの意図した出力を得ることができる。
【０１１２】
本実施形態では、紙センサ３０９の検知の結果に応じて、設定画面７０又は設定画面７２のいずれか操作パネル２０５に表示される。それによって、画面上に表示される画像の数を減らすことができる。また、画像の数を減らすことによって、ユーザが画像を選択しやすくすることができる。
【０１１３】
本実施形態の設定画面７０、７２では、現在選択されている処理に対応した原稿方向を示すことで、原稿が処理と対応した向きにセットされているか否かをユーザが視覚的に確認することができる。また、原稿が処理と対応した面にセットされているか否か、例えば、原稿の読み取られる面を天井に向けるのか、地面に向けるのか、をユーザが視覚的に確認することができる。
【０１１４】
なお、ＡＤＦ３５０に配置される原稿の向きを選択させる設定画面７０と原稿載置台３５１に配置される原稿の向きを選択させる設定画面７２とは、画面内の所定のボタンを押すことで、一方から他方に表示を切り替えるようにしてもよい。その場合、画面を切り替え前の一方の画面において選択された原稿の向きが、画面を切り替え後の他方の画面において選択されるように、すなわち、画面切り替えの前後で選択が維持されるように、してもよい。例えば、設定画面７０で「文字が読める方向」の画像７３が選択されていた場合は、設定画面７２に切り替えた際に、「文字が読める方向」の画像７７が選択されるようにしてもよい。
【０１１５】
このように、紙センサ３０９の検知の結果に応じて、ＡＤＦ３５０に配置される原稿の向きを選択させる第１画面、又は、原稿載置台３５１に配置される原稿の向きを選択させる第２画面のいずれかが表示されることから、ユーザが原稿の方向の設定を容易に行うことができる。
【０１１６】
＜第２の実施形態＞
以下に、図８を参照して第２の実施形態について説明する。図８は、第２の実施形態を説明する図である。図８に示すトップ画面８１では、原稿の向きを設定する表示部品８２が表示されている。
【０１１７】
画像処理装置１００において、トップ画面８１において、原稿の向きを設定するために表示部品８２が選択された場合、紙センサ３０９の検知状態に応じて、図７（Ａ）の設定画面７０か図７（Ｂ）の設定画面７２が表示される。表示部品８２が選択されたときに、紙センサ３０９が検知信号を出力していれば、図７（Ａ）の設定画面７０が表示される。表示部品８２が選択されたときに、紙センサ３０９が検知信号を出力していなければ、図７（Ｂ）の設定画面７２が表示される。
【０１１８】
なお、第２の実施形態においては、表示部品８２から図７（Ａ）の設定画面７０もしくは図７（Ｂ）の設定画面７２に移行するが、例えば、第１の実施形態における図５のＳ５０３、Ｓ５０４、Ｓ５０５、Ｓ５０６を行って、処理が設定画面を表示する対象であるかどうか判断してから、設定画面７０又は７２を表示するようにしてもよい。
【０１１９】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１２０】
１００  画像処理装置
２０５  操作パネル
２４３  表示制御部
３００  本体装置
３０９  紙センサ
３５０  ＡＤＦ（自動原稿給送装置）
３５１  原稿載置台
７０  設定画面
７２  設定画面
【先行技術文献】
【特許文献】
【０１２１】
【特許文献１】特開２０１７−３８２３７号公報
【図１】
2020102760.tif 000003
【図２】
2020102760.tif 000004
【図３】
2020102760.tif 000005
【図４】
2020102760.tif 000006
【図５】
2020102760.tif 000007
【図６】
2020102760.tif 000008
【図７】
2020102760.tif 000009
【図８】
2020102760.tif 000010
【図９】
2020102760.tif 000011